(57)【要約】【課題】  マルチセッションの記録媒体を再生可能であって、外部に接続されるか又は内蔵された記録装置に対し、本来は複製許可されているデータの複製不可状態を生じさせないようにするための情報処理装置及び情報処理方法を提供する。【解決手段】  再生装置１０は、１ｓｔセッションがＣＤ−ＤＡフォーマットで２ｎｄセッションがＲＯＭローマットのマルチセッションのディスクＤ３のＣＤ−ＤＡデータを他の記録装置にダビングする際、先ずＴＯＣ情報を読み出すが、その際、他の記録装置に対しては、１ｓｔセッションのコントロールビットのみ出力し、２ｎｄセッション以降のコントロールビットはミュートする。これにより、他の記録装置においてＣＤ−ＤＡデータの複製不可の表示がされることを回避する。【選択図】  図４
2005078672.tif 000002
【特許請求の範囲】
【請求項１】
リードインエリア及びリードアウトエリアと、その間にデータが記録されるデータエリアとから構成されるセッションが複数設けられたマルチセッションの記録媒体を再生可能な情報処理装置において、
上記リードインエリアに記録される上記データエリアの管理情報を読み出す読出し手段と、
上記読出し手段により読み出された上記管理情報のうち上記データエリアに記録されたデータがＣＤ−ＤＡデータか否かを示すデータ識別情報を外部の装置に出力する識別情報出力手段と、
再生対象の記録媒体が上記マルチセッションの記録媒体であるか否かに応じて、上記識別情報出力手段の出力を制御する制御手段とを有する
ことを特徴とする情報処理装置。
【請求項２】
上記制御手段は、上記再生対象の記録媒体の最内周側に配置される第１のセッションのリードインエリアに記録された上記データ識別情報がＣＤ−ＤＡデータであることを示す場合であって、上記第１のセッションの外周側に隣接して設けられる第２のセッションを有する場合、該第２のセッションの上記データ識別情報を出力させないよう制御する
ことを特徴とする請求項１記載の情報処理装置。
【請求項３】
上記制御手段は、上記再生対象の記録媒体の最内周側に配置される第１のセッションのリードインエリアに記録された上記データ識別情報がＣＤ−ＤＡデータではないことを示す場合であって、上記第１のセッションの外周側に隣接して設けられる第２のセッションを有する場合、該第２のセッションの上記データ識別情報をそのまま出力させる
ことを特徴とする請求項１記載の情報処理装置。
【請求項４】
上記外部の装置は、上記ＣＤ−ＤＡデータを光磁気ディスクに書き換え可能に記録する記録装置である
ことを特徴とする請求項１記載の情報処理装置。
【請求項５】
２以上のセッションを有し、該セッションのデータエリアが異なるフォーマットで記録されている記録媒体の該異なるフォーマットの再生が可能である
ことを特徴とする請求項１記載の情報処理装置。
【請求項６】
リードインエリア及びリードアウトエリアと、その間にデータが記録されるデータエリアとから構成されるセッションが複数設けられたマルチセッションの記録媒体を再生可能な情報処理方法において、
上記リードインエリアに記録される上記データエリアの管理情報を読み出す読出し工程と、
再生対象の記録媒体が上記マルチセッションの記録媒体であるか否かに応じて、上記読出し工程にて読み出された上記管理情報のうち上記データエリアに記録されたデータがＣＤ−ＤＡデータか否かを示すデータ識別情報の外部の装置への出力を制御する出力制御工程とを有する
ことを特徴とする情報処理方法。
【請求項７】
上記出力制御工程では、上記再生対象の記録媒体の最内周側に配置される第１のセッションのリードインエリアに記録された上記データ識別情報がＣＤ−ＤＡデータであることを示す場合であって、上記第１のセッションの外周側に隣接して設けられる第２のセッションを有する場合、該第２のセッションの上記データ識別情報を出力しない
ことを特徴とする請求項６記載の情報処理方法。
【請求項８】
上記出力制御工程では、上記再生対象の記録媒体の最内周側に配置される第１のセッションのリードインエリアに記録された上記データ識別情報がＣＤ−ＤＡデータではないことを示す場合であって、上記第１のセッションの外周側に隣接して設けられる第２のセッションを有する場合、該第２のセッションの上記データ識別情報をそのまま出力する
ことを特徴とする請求項６記載の情報処理方法。
【請求項９】
上記外部の装置は、上記ＣＤ−ＤＡデータを光磁気ディスクに書き換え可能に記録する記録装置である
ことを特徴とする請求項６記載の情報処理方法。
【請求項１０】
リードインエリア及びリードアウトエリアと、その間にデータが記録されるデータエリアとから構成されるセッションが複数設けられたマルチセッションの記録媒体を再生可能な情報処理装置において、
上記リードインエリアに記録される上記データエリアの管理情報を読み出す読出し手段と、
上記読出し手段により読み出された上記管理情報のうち上記データエリアに記録されたデータがＣＤ−ＤＡデータか否かを示すデータ識別情報を出力する識別情報出力手段と、
上記データ識別情報を受け取り、該データ識別情報に基づき上記データエリアのデータを他の記録媒体に記録する記録手段と、
再生対象の記録媒体が上記マルチセッションの記録媒体であるか否かに応じて、上記識別情報出力手段の出力を制御する制御手段とを有する
ことを特徴とする情報処理装置。
【請求項１１】
上記制御手段は、上記再生対象の記録媒体の最内周側に配置される第１のセッションの上記データ識別情報がＣＤ−ＤＡデータであることを示す場合であって、上記第１のセッションのリードインエリアに記録された外周側に隣接して設けられる第２のセッションを有する場合、該第２のセッションの上記データ識別情報を出力させないよう制御する
ことを特徴とする請求項１０記載の情報処理装置。
【請求項１２】
上記制御手段は、上記再生対象の記録媒体の最内周側に配置される第１のセッションのリードインエリアに記録された上記データ識別情報がＣＤ−ＤＡデータではないことを示す場合であって、上記第１のセッションの外周側に隣接して設けられる第２のセッションを有する場合、該第２のセッションの上記データ識別情報をそのまま出力させる
ことを特徴とする請求項１０記載の情報処理装置。
【請求項１３】
上記他の記録媒体は、データの書換え可能な光磁気ディスクであって、
上記記録手段は、上記光磁気ディスクに上記ＣＤ−ＤＡデータを記録する
ことを特徴とする請求項１０記載の情報処理装置。
【請求項１４】
リードインエリア及びリードアウトエリアと、その間にデータが記録されるデータエリアとから構成されるセッションが複数設けられたマルチセッションの記録媒体を再生可能な情報処理方法において、
上記リードインエリアに記録される上記データエリアの管理情報を読み出す読出し工程と、
再生対象の記録媒体が上記マルチセッションの記録媒体であるか否かに応じて、上記読出し工程にて読み出された上記管理情報のうち上記データエリアに記録されたデータがＣＤ−ＤＡデータか否かを示すデータ識別情報の出力を制御する出力制御工程と、
上記データ識別情報を受け取り、該データ識別情報に基づき上記データエリアのデータを他の記録媒体に記録する記録工程とを有する
ことを特徴とする情報処理方法。
【発明の詳細な説明】
【技術分野】
【０００１】
本発明は、異なるフォーマットのデータが記録されたマルチセッションディスクを再生可能な情報処理装置及び情報処理方法に関し、特にＭＰ３（ＭＰＥＧ（Moving Picture Experts Group）１オーディオLayer３））等の圧縮音源も再生可能な情報処理装置及び記情報処理方法に関する。
【背景技術】
【０００２】
従来、光ディスクであるコンパクトディスクには、ＣＤ−ＤＡ（Compact Disc Digital Audio）型コンパクトディスク、ＣＤ−ＲＯＭ（Compact Disc Read Only Memory）型コンパクトディスクがある。更に、コンパクトディスクには、ＣＤ−ＤＡ（Compact Disc Digital Audio）型コンパクトディスクのフォーマットを基礎にしたＣＤ−Ｒ（Compact Disc Recordable）型コンパクトディスク、ＣＤ−ＲＷ（Compact Disc Rewritable）型コンパクトディスク、ＣＤ−Ｅｘｔｒａ型コンパクトディスク等のマルチセッション型のコンパクトディスクがある。例えば、マルチセッション型であるＣＤ−Ｅｘｔｒａ型コンパクトディスクでは、内周側のセッションに一又は複数のオーディオデータを記録し、外周側のセッションに、内周側セッションに記録されたオーディオデータに関連した画像データ、映像データ、コンピュータプログラム等の関連データが記録される。なお、このマルチセッション型のコンパクトディスクに関しては、下記特許文献１がある。
【０００３】
以上のようなコンパクトディスクの再生装置としては、専らＣＤ−ＤＡ（Compact Disc Digital Audio）型コンパクトディスク等に記録されたオーディオデータの再生を目的としたオーディオ専用再生装置と、上述のコンパクトディスク全ての再生を可能とする複合再生装置とがある。
【０００４】
ここで、マルチセッション型コンパクトディスクを例に取り説明すると、このマルチセッション型コンパクトディスク１は、図１０に示すように、センタ孔２の周囲にクランピングエリア２ａが設けられ、このクランピングエリア２ａの外周側に、オーディオデータ等が記録される第１のセッション３が設けられ、この第１のセッション３の外周側に、第１のセッション３に関連した関連データが記録される第２のセッション４が設けられている。各セッション３，４は、内周側に、ＴＯＣ（Table Of Contents）データが記録されるリードインエリア３ａ，４ａが設けられ、リードインエリア３ａ，４ａの外周側に、オーディオデータ、関連データ等の一又は複数のコンテンツデータが記録されるプログラムエリア３ｂ，４ｂが設けられ、プログラムエリア３ｂ，４ｂの外周側に、セッション３，４の終わりを示すリードアウトエリア３ｃ，４ｃが設けられている。なお、ＣＤ−ＤＡ型コンパクトディスクは、全体が一のセッションで構成されている。
【０００５】
コンパクトディスク１では、各セッション３，４に、８−１４変調（ＥＦＭ変調：Eight to Fourteen Modulation）されたデータが図１１に示す記録フォーマットで記録されている。すなわち、図１２に示すように、各セッション３，４に記録されるデータを構成するフレームは、例えば３２個のシンボル（１シンボルは１４ビットで構成される。）を一まとめで取り扱うことができるように、フレームの先頭に２４ビットの同期信号（１１Ｔ，１１Ｔ’（’は反転を示す。），２Ｔのパターン又はこの逆パターン）が設けられ、次いで、１シンボル（１４ビット）のサブコードデータが設けられ、次いで、３２シンボルからなる主信号データと訂正用パリティが設けられ、全体が５８８チャンネルビットで構成されている。また、各シンボルの間には、フレーム同期信号とサブコードデータとの間を除き３ビットの接続ビットが挿入されている。
【０００６】
サブコードデータは、１つのシンボルが各フレームに１つ記録されている。このサブコードデータには、アドレス情報等が記録されている。サブコードデータを構成するＥＦＭ変調前の８ビットのデータは、Ｐ、Ｑ、Ｒ、Ｓ、Ｔ、Ｕ、Ｖ、Ｗのチャンネルに割り振られている。サブコードデータは、図１３に示すように、９８フレームで１つのブロックを構成し、このブロックの先頭には、当該ブロックの先頭を識別するための同期信号Ｓ０，Ｓ１が格納されている。この同期信号Ｓ０，Ｓ１には、ＥＦＭ変換テーブルに用いられないパターンが用いられている。すなわち、図１３に示すように、サブコードデータは、２バイトの同期信号を除いた９６バイトで１ブロックを構成する。サブコードデータのＰ〜Ｗの各チャンネルのブロックは、Ｐ１〜Ｗ１からＰ９６〜Ｗ９６、すなわち９６ビット（同期信号を含めて９８ビット）で構成される。
【０００７】
サブコードデータのＰチャンネルは、主として、スタートフラグとして用いられ、Ｑチャンネルは、主として、アドレス情報等が記録され、リードインエリア３ａ，４ａでは、ＴＯＣデータとなる。また、Ｒ〜Ｗチャンネルは、ユーザーズビットとして、６つをひとまとまりとして、グラフィック、エラーチェック等に使用される。なお、リードインエリア３ａ，４ａに記録されるＴＯＣデータについては後述する。
【０００８】
更に、図１３に示すように、サブコードデータ以降に設けられる主信号データは、１２シンボルで構成されており、主信号データに次いで設けられる訂正用パリティは、４シンボルで構成されている。訂正用パリティには、（Cross Interleave Reed-Solomon Code;ＣＩＲＣ）のリードソロモン符号記号が格納されている。１フレームには、サブコードデータに次いで１２シンボルの主信号データが設けられ、次いで、４シンボルの訂正用パリティが設けられ、次いで、１２シンボルの主信号データが設けられ、次いで、４シンボルの訂正用パリティが設けられている。
【０００９】
次いで、図１４を参照して、リードインエリア３ａ，４ａのＱチャンネル、すなわちＴＯＣデータについて説明する。このＱチャンネルは、先頭から順に、４ビットのコントロールブロックＣＮＴ、４ビットのアドレスブロックＡＤＲ、８ビットのトラック番号ブロックＴＮＯ、８ビットのポイントブロックＰＯＩＮＴ、８ビットの分成分ブロックＭｉｎ、８ビットの秒成分ブロックＳｅｃ、８ビットのフレーム成分ブロックＦｒａｍｅ、「０」が記録された８ビットのゼロブロックＺＥＲＯ、８ビットの分成分ブロックＰｍｉｎ、８ビットの秒成分ブロックＰｓｅｃ、フレーム成分ブロックＰｆｒａｍｅが設けられている。
【００１０】
コントロールブロックＣＮＴには、このＰＯＩＮＴが１〜９９の場合、そのトラックがデータ用（ＲＯＭ型）であるかオーディオ用であるかを示す識別データが記録され、具体的に、データ用であるとき「１」が設定され、オーディオ用であるとき「０」が設定されている。
【００１１】
アドレスブロックＡＤＲは、レッドブック（Red Book）の規格にそって作成したＣＤ−ＤＡ型のディスクか、オレンジブック（Orange Book）の規格に沿って作成したマルチセッション型のディスクかを示す。具体的に、ＣＤ−ＤＡ型のレッドブックの規格に沿って作成したディスクであるとき「１」が設定され、マルチセッション型のオレンジブックの規格に沿って作成したディスクであるとき「５」が設定されている。
【００１２】
トラック番号ブロックＴＮＯには、リードインエリア３ａ，４ａを示す「０」が設定されている。
【００１３】
ポイントブロックＰＯＩＮＴには、アドレスブロックＡＤＲがＣＤ−ＤＡ型を示す「１」が設定されているとき、１６進数の「Ａ０」、「Ａ１」及び「Ａ２」並びに１０進数の「０１」〜「９９」が設定されている。「Ａ０」を設定したときに、秒成分ブロックＰｓｅｃに「＄００」又は「＄２０」を設定する場合は、分成分ブロックＰｍｉｎに最初のトラックナンバが設定される。秒成分ブロックＰｓｅｃに「＄１０」を設定する場合は、分成分ブロックＰｍｉｎに最後のトラックナンバ＋１が設定される。「Ａ１」が設定されたときには、分成分ブロックＰｍｉｎに最後のトラックナンバ又は最後のトラックナンバ＋１が設定され、秒成分ブロックＰｓｅｃ及びフレーム成分ブロックＰｆｒａｍｅは「０」が設定される。「Ａ２」が設定されたときには、分成分ブロックＰｍｉｎ、秒成分ブロックＰｓｅｃ及びフレーム成分ブロックＰｆｒａｍｅに、リードアウトエリア３ｃ，４ｃの開始時間が設定される。「０１」〜「９９」が設定されたときには、分成分ブロックＰｍｉｎ、秒成分ブロックＰｓｅｃ及びフレーム成分ブロックＰｆｒａｍｅに、各トラックの開始時間が設定される。
【００１４】
なお、ポイントブロックＰＯＩＮＴにＣ０が設定されたディスクでは、アドレスブロックＡＤＲが「１」に設定されているとき、分成分ブロックＭｉｎ、秒成分ブロックＳｅｃ及びフレーム成分ブロックＦｒａｍｅには、絶対時間が記録されている。すなわち、ＰＯＩＮＴにＣ０が設定されていないときには、分成分ブロックＭｉｎ、秒成分ブロックＳｅｃ及びフレーム成分ブロックＦｒａｍｅに絶対時間が記録されない。なお、以下、秒成分ブロックＳｅｃ及びフレーム成分ブロックＦｒａｍｅを単に「ＭＳＦ（Min,Sec,Frame）」ともいう。
【００１５】
また、ポイントブロックＰＯＩＮＴには、アドレスブロックＡＤＲが「５」に設定されているとき、「Ｂ０」、「Ｃ０」等が設定されている。「Ｂ０」が設定されているとき、ＭＳＦには、次のプログラムエリアの開始時間が記録されている。例えば、２セッションで構成されているとき、第１セッション３のポイントブロックＰＯＩＮＴに「Ｂ０」が設定されていると、ＭＳＦには、第２セッション４のプログラムエリア４ｂの開始時間が記録される。また、３セッションで構成されているときには、第１セッションのポイントブロックＰＯＩＮＴに「Ｂ０」が設定されていると、ＭＳＦは、第２セッションのプログラムエリア４ｂの開始時間を示し、第２セッションのポイントブロックＰＯＩＮＴに「Ｂ０」が設定されていると、ＭＳＦは、第３セッションのプログラムエリアの開始時間を示す。
【００１６】
また、「Ｂ０」が設定されているとき、分成分ブロックＰｍｉｎ、秒成分ブロックＰｓｅｃ及びフレーム成分ブロックＰｆｒａｍｅには、最も外側のリードアウトエリアの最大開始時間が記録されている。
【００１７】
「Ｃ０」は、最初のセッションのリードインエリアのポイントブロックＰＯＩＮＴに設定されることがある。「Ｃ０」が設定されているとき、分成分ブロックＰｍｉｎ、秒成分ブロックＰｓｅｃ及びフレーム成分ブロックＰｆｒａｍｅには、最初のリードインエリアの開始時間が記録されている。
【００１８】
ここでマルチセッション型コンパクトディスクは、専らＣＤ−ＤＡ型コンパクトディスク等に記録されたオーディオデータの再生を目的としたオーディオ専用再生装置に装着されたとき、第１のセッション３のみにアクセスし、第１のセッション３のリードインエリア３ａに記録されたＴＯＣデータを読み出した後、プログラムエリア３ｂに記録されたオーディオデータの読出を行う。オーディオ専用再生装置では、オーディオデータの再生を目的としているため、オーディオデータ以外が記録された第２のセッション４を再生することはできない。具体的に、オーディオ専用再生装置は、第１のセッションのリードインエリア３ａのＴＯＣデータを構成するポイントブロックＰＯＩＮＴの「Ｂ０」や「Ｂ０」のときのＭＳＦを無視し、第２のセッション４にアクセスすることなく第１のセッション３のプログラムエリア３ｂに記録されたオーディオデータの再生を開始する。したがって、ＣＤ−Ｅｘｔｒａ型コンパクトディスクを再生するときにも、オーディオ専用再生装置は、オーディオデータが記録された第１のセッションのみにアクセスし読み出したオーディオデータを再生する。
【００１９】
また、マルチセッション型のコンパクトディスクには、第１のセッション３にオーディオデータを記録している他、第２のセッション４にも、ＭＰ３（MPEG（Moving Picture Experts Group）-1 Audio Layer3）等の音楽ファイルを格納したものがあり、オーディオ専用再生装置の中にも、ＣＤ−ＤＡ型コンパクトディスクのみならず、マルチセッション型コンパクトディスクにも対応したものがある。第２のセッション４に音楽ファイルが記録されているときには、オーディオデータの再生という点でＣＤ−ＤＡ型コンパクトディスクの規格のみに対応したオーディオ専用再生装置と目的が共通しているからである。このため、マルチセッション型に対応したオーディオ専用再生装置は、次に説明する複合再生装置と同様な動作をする。
【００２０】
マルチセッション型のコンパクトディスクが複合再生装置に装着されると、第１のセッション３や第２のセッション４のリードインエリア３ａ，４ａに記録されたＴＯＣデータの読出を行う。具体的に、複合再生装置は、第１のセッションのリードインエリア３ａのＴＯＣデータを構成するポイントブロックＰＯＩＮＴの「Ｂ０」や「Ｂ０」のときのＭＳＦを参照して、第２のセッション４のリードインエリア４ａのＴＯＣデータ、更に、第２のセッション４の外周に更にセッションがあるときにはそのセッションのＴＯＣデータの読出を開始し、ユーザの指定に応じたセッションのプログラムエリアに記録されたデータの再生を開始する。
【００２１】
このようなマルチセッション対応型の再生装置が下記特許文献２に記載されている。図１５は、下記特許文献２記載の再生装置を示すブロック図である。この再生装置は、第１のパート（１ｓｔセッション）に既存のＣＤと同一のフォーマットのオーディオデータ（リニアＰＣＭ）が記録され、第２のパート（２ｎｄセッション）に圧縮されたオーディオデータが記録されたディスクの再生を可能とする再生装置である。
【００２２】
図１５に示すように、再生装置２００は、ディスク２０１を回転駆動するスピンドルモータ２８１と、ディスク２０１に記録された信号を再生する光ピックアップ２８２とを有し、光ピックアップ２８２は、レーザ光をディスク２０１に照射する半導体レーザ、対物レンズ等の光学系、ディスク２０１からの戻り光を受光するディテクタ、フォーカスおよびトラッキング機構等からなる。更に、光ピックアップ２８２は、スレッド機構２８４によって、ディスク２０１の径方向に送られる。
【００２３】
光ピックアップ２８２の例えば４分割ディテクタからの出力信号がＲＦアンプ２８３に供給される。ＲＦアンプ２８３は、４分割ディテクタの各ディテクタの出力信号を演算することによって、再生（ＲＦ）信号、フォーカスエラー信号、トラッキングエラー信号を生成する。再生信号がセレクタ２８５に供給され、リードインエリアから読み取ったリードインデータがリードインデータ抽出部２８６に供給され、フォーカスエラー信号、トラッキングエラー信号がサーボ回路２８７に供給される。サーボ回路２８７は、ＲＦ信号の再生クロックに基づいてスピンドルモータ２８１の回転動作を制御したり、光ピックアップ２８２のフォーカスサーボ、トラッキングサーボを制御したりする。
【００２４】
リードインデータ抽出部２８６は、リードインエリアからのリードインデータを復号し、復号データをＣＰＵ２８８に供給する。ＣＰＵ２８８は、再生装置全体の動作を制御するシステムコントローラとしての機能を有する。ＣＰＵ２８８と関連して操作部２８９および表示部２９０が設けられている。操作部２８９には、通常のＣＤ再生装置と同様の操作キーと共に、第１パート／第２パートの再生を指定するキー等が設けられている。ＣＰＵ２８８によってサーボ回路２８７が制御されることによって、再生装置の動作、ディスク１に対するアクセス動作が制御される。また、ＣＰＵ２８８は、サブコードの情報に基づいて表示部２９０に表示する情報を生成する。
【００２５】
セレクタ２８５は、ＣＰＵ２８８によって制御され、第１セッションからの再生データを出力端子ａに出力し、第２セッションからの再生データを出力端子ｂに出力する。無記録部分では、端子ｃが選択される。出力端子ａには、第１パート復調部２９１が接続され、出力端子ｂには、第２パート復調部２９２が接続される。
【００２６】
第１パート復調部２９１は、ＣＤ−ＤＡの再生信号処理と同様の信号処理を行う。すなわち、再生信号のＥＦＭの復調を行い、サブコードを分離して出力する。サブコードは、復号器により復号され、復号されたサブコード（アドレス情報を含む）がサーボ回路２８７およびＣＰＵ２８８に供給される。ＥＦＭ復調されたデータがエラー訂正部２９７に供給される。エラー訂正部２９７は、ＣＩＲＣによるエラー訂正を行う。エラー訂正部２９７の出力がＤ／Ａ（ディジタル／アナログ）変換部２９８に供給され、Ｄ／Ａ変換部２９８からアナログ出力が出力端子２９９に取り出される。図示しないが、エラー訂正部２９７で訂正できないエラーが補間される。
【００２７】
第２パート復調部２９２は、第１パート復調部２９１と同様の信号処理を行う。第２パート復調部２９２が出力するサブコード（アドレス情報を含む）及びヘッダ情報がサーボ回路２８７およびＣＰＵ２８８に供給される。ＥＦＭ復調されたデータがエラー訂正部２１１に供給される。エラー訂正部２１１には、ＣＤ−ＲＯＭデコーダ２１２が接続されている。ＣＤ−ＲＯＭデコーダ２１２は、ＣＤ−ＲＯＭフォーマットの分解処理を行い、ユーザデータとして記録されているデータを抽出する。抽出されたデータが圧縮符号化の伸張部２１３に供給され、伸張される。伸張部２１３の出力がＤ／Ａ変換部２１４に供給され、Ｄ／Ａ変換部２１４からアナログ出力が出力端子２１５に取り出される。
【００２８】
また、リードインデータ抽出部２８６によって、リードインエリアに記録されている付随情報がディスク２０１の装着時にＣＰＵ２８８に読み込まれている。操作部２８９によるユーザの指定入力と、読み込まれた情報を参照してＣＰＵ２８８がセレクタ２８５を制御する信号を発生する。それによって、第１パートおよび第２パートの一方を選択的に再生できる。
【００２９】
上述した再生装置においては、第１パートの再生を行う時には、セレクタ２８５が出力端子ａを選択するように、ＣＰＵ２８８がセレクタ２８５を制御する。第２パートを再生を行う時には、セレクタ２８５が出力端子ｂを選択するように、ＣＰＵ２８８がセレクタ２８５を制御する。
【００３０】
【特許文献１】特開平８−０３６８２９号公報
【特許文献２】特開２００２−７４８４８号公報
【発明の開示】
【発明が解決しようとする課題】
【００３１】
しかしながら、このようなマルチセッション対応型再生装置（複合再生装置）と、例えばミニディスクＭＤ（登録商標）記録装置等の外部機器とを接続し、マルチセッションディスクのディジタルオーディオデータを上記外部機器に送り、その外部の機器にて他のディスクに記録する場合、再生装置は、上述したように、全セッションのＴＯＣをリードし、そのコントロールビットを外部機器に出力する。すると、外部機器では、このコントロールビットによりＲＯＭデータであるか、オーディオデータであるかを判断し、ＲＯＭデータである場合は、複製不可の表示を出すようになされている。
【００３２】
例えば上記特許文献２に記載の第１のセッション（１ｓｔセッション）がＣＤ−ＤＡのＰＣＭデータで、第２のセッション（２ｎｄセッション）がＲＯＭデータであるような場合、外部の機器としての、データが書換え可能なＭＤ等の他の記録媒体の記録装置において、記録スタンバイの状態とすると、ＲＯＭであることを示すコントロールビット（以下、ＲＯＭ情報という。）がこの外部機器入力されることにより、当該記録不可（録音不可）を警告する。
【００３３】
即ち、１ｓｔセッションにＣＤ−ＤＡデータが記録されたものであれば、本来は、記録装置において記録が可能であるのにも関わらず、外部の記録装置は、最後に入力されたＲＯＭ情報を示すコントロールビットを記憶するため、外部の記録装置は、ユーザに対して録音不可を警告してしまう。また、ＴＯＣリード前から録音スタンバイしている場合も同様の問題が生じる。
【００３４】
更に、ＣＤ部よりディジタル出力されるコントロールビット情報はＴＯＣリードしたディスクから、最後に取得したコントロールビット情報を出力しつづけるため、例えＣＤのＴＯＣリード処理中には録音先の機器の電源を落としておき、ＴＯＣリード処理終了後に電源を入れて録音待機状態にしたとしても、録音不可警告が発せられてしまうという問題点がある。
【００３５】
本発明は、このような従来の実情に鑑みて提案されたものであり、マルチセッションの記録媒体を再生可能であって、外部に接続されるか又は内蔵された記録装置に対し、本来は複製許可されているデータの複製不可状態を生じさせないようにするための情報処理装置及び情報処理方法を提供することを目的とする。
【課題を解決するための手段】
【００３６】
上述した目的を達成するために、本発明に係る情報処理装置は、リードインエリア及びリードアウトエリアと、その間にデータが記録されるデータエリアとから構成されるセッションが複数設けられたマルチセッションの記録媒体を再生可能な情報処理装置において、上記リードインエリアに記録される上記データエリアの管理情報を読み出す読出し手段と、上記読出し手段により読み出された上記管理情報のうち上記データエリアに記録されたデータがＣＤ−ＤＡデータか否かを示すデータ識別情報を外部の装置に出力する識別情報出力手段と、再生対象の記録媒体が上記マルチセッションの記録媒体であるか否かに応じて、上記識別情報出力手段の出力を制御する制御手段とを有することを特徴とする。
【００３７】
本発明においては、外部の装置に対してディジタルデータを供給する際、データエリアのデータがＣＤ−ＤＡデータか否かを示すデータ識別情報を出力するが、従来のマルチセッション対応型の再生装置は再生対象の記録媒体がマルチセッションである場合には、全てのセッションの管理情報を読み出し、外部の装置にデータ識別情報を出力してしまっていたのに対し、本発明ではこの出力を制御するようにしたため、例えば外周側のセッションがＲＯＭデータであることを外部の装置に出力しないようにすることができる。
【００３８】
また、上記制御手段は、上記再生対象の記録媒体の最内周側に配置される第１のセッションのリードインエリアに記録された上記データ識別情報がＣＤ−ＤＡデータであることを示す場合であって、上記第１のセッションの外周側に隣接して設けられる第２のセッションを有する場合、該第２のセッションの上記データ識別情報を出力させないよう制御することができ、第２のセッション以降にＲＯＭデータが格納されているようなマルチセッションであっても、外部の装置は、再生対象のディスクがＣＤ−ＤＡフォーマットのディスクであると判断し、ディジタルデータのダビングを許可することができる。
【００３９】
更に、上記制御手段は、上記再生対象の記録媒体の最内周側に配置される第１のセッションのリードインエリアに記録された上記データ識別情報がＣＤ−ＤＡデータではないことを示す場合であって、上記第１のセッションの外周側に隣接して設けられる第２のセッションを有する場合、該第２のセッションの上記データ識別情報をそのまま出力させてもよく、再生対象のディスクの第１のセッションがＲＯＭデータである場合にその外周側の第２のセッション以降にＣＤ−ＤＡデータが配置されることはないので、データ識別情報の制御を省略することができる。
【００４０】
本発明に係る情報処理方法は、リードインエリア及びリードアウトエリアと、その間にデータが記録されるデータエリアとから構成されるセッションが複数設けられたマルチセッションの記録媒体を再生可能な情報処理方法において、上記リードインエリアに記録される上記データエリアの管理情報を読み出す読出し工程と、再生対象の記録媒体が上記マルチセッションの記録媒体であるか否かに応じて、上記読出し工程にて読み出された上記管理情報のうち上記データエリアに記録されたデータがＣＤ−ＤＡデータか否かを示すデータ識別情報の外部の装置への出力を制御する出力制御工程とを有することを特徴とする。
【００４１】
本発明に係る情報処理装置は、リードインエリア及びリードアウトエリアと、その間にデータが記録されるデータエリアとから構成されるセッションが複数設けられたマルチセッションの記録媒体を再生可能な情報処理装置において、上記リードインエリアに記録される上記データエリアの管理情報を読み出す読出し手段と、上記読出し手段により読み出された上記管理情報のうち上記データエリアに記録されたデータがＣＤ−ＤＡデータか否かを示すデータ識別情報を出力する識別情報出力手段と、上記データ識別情報を受け取り、該データ識別情報に基づき上記データエリアのデータを他の記録媒体に記録する記録手段と、再生対象の記録媒体が上記マルチセッションの記録媒体であるか否かに応じて、上記識別情報出力手段の出力を制御する制御手段とを有することを特徴とする。
【００４２】
本発明においては、マルチセッションの記録媒体を再生可能な再生装置が、この記録媒体に記録されたＣＤ−ＤＡデータを他の記録媒体に記録可能な記録手段を有し、且つこの記録手段に対するデータ識別情報の出力を制御するため、１つの装置内で、マルチセッションの記録媒体に記録されたＣＤ−ＤＡデータを他の記録媒体にディジタルコピーすることができる。
【００４３】
本発明の情報処理方法は、リードインエリア及びリードアウトエリアと、その間にデータが記録されるデータエリアとから構成されるセッションが複数設けられたマルチセッションの記録媒体を再生可能な情報処理方法において、上記リードインエリアに記録される上記データエリアの管理情報を読み出す読出し工程と、再生対象の記録媒体が上記マルチセッションの記録媒体であるか否かに応じて、上記読出し工程にて読み出された上記管理情報のうち上記データエリアに記録されたデータがＣＤ−ＤＡデータか否かを示すデータ識別情報の出力を制御する識別情報出力工程と、上記データ識別情報を受け取り、該データ識別情報に基づき上記データエリアのデータを他の記録媒体に記録する記録工程とを有することを特徴とする。
【発明の効果】
【００４４】
本発明によれば、マルチセッション対応の再生装置に接続された外部の装置又は該再生装置に内蔵された記録手段に対しての、マルチセッションのリードインエリアの管理情報出力を制御するため、外部の装置又は内蔵された記録手段は、再生対象の記録媒体がマルチセッションであっても、例えばＣＤ−ＤＡデータが記録されたシングルセッションの記録媒体であると判断することで、本来複製が許可されたＣＤ−ＤＡデータの複製不可状態を回避することができる。
【発明を実施するための最良の形態】
【００４５】
以下、本発明を適用した具体的な実施の形態について、図面を参照しながら詳細に説明する。この実施の形態は、本発明を、マルチセッションディスクを再生可能な再生装置であって、他の外部機器とを接続してＣＤ−ＤＡデータをダビングする際に、他の外部機器にて記録不可状態にならないよう制御した再生装置に適用したものである。
【００４６】
具体的には、ファーストセッションにＣＤ−ＤＡ、セカンドセッション以降のセッションにＲＯＭセッションを含むマルチセッション構成のディスクメディアに記録されている1stセッションのオーディオトラックを他のデジタルメディアに複製する際に、1stセッション（ＣＤ部）からのコントロールビット情報の出力を操作することによって、ＲＯＭデータの複製不可エラー状態を発生させないようにしたものである。
【００４７】
本実施の形態における再生装置は、ＴＯＣ領域を有するディスクメディアのマルチセッションディスク再生に対応したものであるが、マルチセッションのディスクの説明に先立ち、先ず、ＣＤ−ＤＡフォーマットのシングルセッションディスクについて説明する。
【００４８】
図１は、通常のＣＤ−ＤＡデータが記録されるシングルセッションのディスクを示す模式図である。図１に示すように、ディスクＤ１は、ＣＤ−ＤＡデータが記録されるプログラムエリアＰＡがリードイン（LEAD IN）エリアＬＩとリードアウト（LEAD OUT）エリアＬＯで閉じられた状態で、セッション（Session）Ｓという単位になる。セッションＳは、複数のトラック（Track）、例えばトラックＴｒ１〜トラックＴｒ４等を有する。
【００４９】
そして、このセッションＳという単位が１枚のディスクに複数連続して書き込まれているものをマルチセッションという。図２は、マルチセッションのディスクフォーマットを示す模式図である。図２に示すように、このディスクＤ２は、ディスクの最内周側からセッションＳ１、セッションＳ２、セッションＳ３を有しており、各セッションＳ１〜Ｓ３には、夫々その内周側及び外周側にリードインエリアＬＩ１〜ＬＩ３及びＬＯ１〜ＬＯ３を有し、各リードインエリアＬＩ１〜ＬＩ３とリードアウトエリアＬＯ１〜ＬＯ３との間にそれぞれプログラムエリアＰＡ１〜ＰＡ３を有している。
【００５０】
ここで、上述したように、図２に示すようなマルチセッションであって、例えばプログラムエリアＰＡ３に、ＲＯＭデータが記録されている場合に、マルチセッションに対応した再生機器から、例えば１回等は複製が許可されているディジタルデータを他の機器へ出力し、他の機器にてこのディジタルデータを記録（ダビング）しようとすると、他の機器において、複製不可状態となる。
【００５１】
複製不可状態とは、本来は、複製を違反されているデータを録音しようとした際に生じるエラーである。しかしながら、ＴＯＣリードを行うディスクのデータ構成によってはディスク内周側に記録されているＣＤ−ＤＡフォーマット音源、即ち、複製が本来許可されているようなデータであっても、正常に記録（RECORDING）できない複製不可状態に陥ってしまう。本実施の形態においては、このように本来複製が許可されているようなデータであっても、複製不可となってしまうような現象を防ぐことができる再生装置である。
【００５２】
本実施の形態における再生装置について、図３に示すマルチセッションディスクを再生する場合を例にとって説明する。上述した複製不可状態は、マルチセッションに対応した再生装置において、マルチセッションのディスクのＴＯＣリード処理により従来生じていた問題点であるが、本実施の形態においては、このマルチセッションを再生する際のＴＯＣリード処理においてコントロールビットの出力を制御することによって上記問題点を回避するものである。
【００５３】
図３に示すように、このディスクＤ３は、内周側の１ｓｔセッションＳ１がＣＤ−ＤＡフォーマットであり、これより外周側に記録された２ｎｄセッションＳ２がＣＤ−ＲＯＭフォーマットで構成されるマルチセッション構成のディスクである。このディスクＤ３は、ＣＤ規格においてＣＤ−ＥＸＴＲＡといわれるもので、数あるコピーコントロールＣＤのプロテクト技術においてＣＤ−ＥＸＴＲＡ構造を採用しているものが多い。
【００５４】
先ず、このような、プログラムエリアにフォーマットが異なるデータが記録されたマルチセッション型の記録媒体、例えば１ｓｔセッションにＣＤ−ＤＡフォーマット、２ｎｄセッションにＲＯＭフォーマットのデータが記録される図３に示すＣＤ−ＥＸＴＲＡを再生可能な再生装置について説明する。
【００５５】
図４は、マルチセッションのディスクを再生可能な再生装置を示すブロック図である。この再生装置は、１ｓｔセッション（第１のセッション）に記録された既存のＣＤと同一のフォーマットのオーディオデータ（リニアＰＣＭ）と、２ｎｄセッション（第２のセッション）に記録された例えばＭＰ３等の圧縮オーディオデータとを再生可能とする再生装置である。
【００５６】
図４に示すように、再生装置１０は、例えば図３に示すディスクＤ３等を回転駆動するスピンドルモータ１１と、ディスクＤ３に記録された信号を再生する光ピックアップ１２とを有し、光ピックアップ１２は、レーザ光をディスクＤ３に照射する半導体レーザ、対物レンズ等の光学系、ディスクＤ３からの戻り光を受光するディテクタ、フォーカスおよびトラッキング機構等からなる。更に、光ピックアップ１２は、スレッド機構１４によって、ディスクＤ３の径方向に送られる。
【００５７】
光ピックアップ１２の例えば４分割ディテクタからの出力信号がＲＦアンプ１３に供給される。ＲＦアンプ１３は、４分割ディテクタの各ディテクタの出力信号を演算することによって、再生（ＲＦ）信号、フォーカスエラー信号、トラッキングエラー信号を生成する。再生信号がセレクタ１５に供給され、リードインエリアＬＩ１から読み取ったリードインデータがリードインデータ抽出部１６に供給され、フォーカスエラー信号、トラッキングエラー信号がサーボ回路１７に供給される。サーボ回路１７は、ＲＦ信号の再生クロックに基づいてスピンドルモータ１１の回転動作を制御したり、光ピックアップ１２のフォーカスサーボ、トラッキングサーボを制御したりする。
【００５８】
リードインデータ抽出部１６は、リードインエリアＬＩ１からのリードインデータ（ＴＯＣデータ）を復号し、復号データをＣＰＵ１８に供給する。ＣＰＵ１８は、ＴＯＣ用メモリ２１に復号したＴＯＣデータを保存する。このＣＰＵ１８は、再生装置全体の動作を制御するシステムコントローラとしての機能を有する。更にＣＰＵ１８と関連して操作部１９および表示部２０が設けられている。操作部１９には、通常のＣＤ再生装置と同様の操作キーと共に、１ｓｔセッション／２ｎｄセッションの再生を指定する操作部１９等が設けられている。また、ＣＰＵ１８によってサーボ回路１７が制御されることによって、再生装置の動作、ディスク１に対するアクセス動作が制御される。また、ＣＰＵ１８は、サブコードの情報に基づいて表示部２０に表示する情報を生成する。
【００５９】
セレクタ１５は、ＣＰＵ１８によって制御され、１ｓｔセッション（ＬＩ１、ＰＡ１及びＬＯ１）からの再生データを出力端子ａに出力し、２ｎｄセッション（ＬＩ１、ＰＡ１及びＬＯ１）からの再生データを出力端子ｂに出力する。無記録部分では、端子ｃが選択される。出力端子ａには、１ｓｔセッション復調部２２が接続され、出力端子ｂには、２ｎｄセッション復調部２６が接続される。
【００６０】
１ｓｔセッション復調部２２は、ＣＤ−ＤＡの再生信号処理と同様の信号処理を行う。すなわち、再生信号のＥＦＭの復調を行い、サブコードを分離して出力する。サブコードは、復号器により復号され、復号されたサブコード（アドレス情報を含む）がサーボ回路１７およびＣＰＵ１８に供給される。ＥＦＭ復調されたデータがエラー訂正部（ＥＣＣ）２２に供給される。エラー訂正部２３は、ＣＩＲＣによるエラー訂正を行う。エラー訂正部２３の出力がＤ／Ａ（ディジタル／アナログ）変換部２４に供給され、Ｄ／Ａ変換部２４からアナログ出力が出力端子２５に取り出される。図示しないが、エラー訂正部２３で訂正できないエラーが補間される。
【００６１】
２ｎｄセッション復調部２６は、１ｓｔセッション復調部２２と同様の信号処理を行う。２ｎｄセッション復調部２６が出力するサブコード（アドレス情報を含む）及びヘッダ情報がサーボ回路１７およびＣＰＵ１８に供給される。ＥＦＭ復調されたデータがエラー訂正部（ＥＣＣ）２７に供給される。エラー訂正部２７には、ＣＤ−ＲＯＭデコーダ２８が接続されている。ＣＤ−ＲＯＭデコーダ２８は、ＣＤ−ＲＯＭフォーマットの分解処理を行い、ユーザデータとして記録されているデータを抽出する。抽出されたデータが圧縮符号化の伸張部２９に供給され、伸張される。伸張部２９の出力がＤ／Ａ変換部３０に供給され、Ｄ／Ａ変換部３０からアナログ出力が出力端子３１に取り出される。
【００６２】
また、リードインデータ抽出部１６によって、リードインエリアＬＩ１に記録されている付随情報がディスクＤ３の装着時にＣＰＵ１８に読み込まれ、ＴＯＣ用メモリ２１に保存されている。また、操作部１９によるユーザの指定入力と、読み込まれた情報を参照してＣＰＵ１８がセレクタ１５を制御する信号を発生する。それによって、１ｓｔセッション及び２ｎｄセッションの一方を選択的に再生できる。
【００６３】
上述した再生装置においては、１ｓｔセッションのプログラムエリアＰＡ１のＣＤ−ＤＡデータの再生を行う時には、セレクタ１５が出力端子ａを選択するように、ＣＰＵ１８がセレクタ１５を制御する。ユーザは、ＣＤ−ＤＡデータを聞いたり、これを他のディスクにダビングしたりすることができる。また、２ｎｄセッションのプログラムエリアＰＡ２の圧縮オーディオデータの再生を行う時には、セレクタ１５が出力端子ｂを選択するように、ＣＰＵ１８がセレクタ１５を制御する。
【００６４】
このような再生装置１０からディジタルデータを再生して、他の記録装置にてデータを記録する、即ちディスクＤ３の１ｓｔセッションＳ１に記録されたＣＤ−ＤＡオーディオデータを例えばミニディスク等の他のディスクにダビングする場合に、ディスクＤ３から読み出したオーディオデータを所定の形式にした出力データを生成するディジタルデータ生成部３２を有する。このディジタルデータ生成部３２は、オーディオデータだけでなく、読み出したＴＯＣデータのうち、プログラムデータがオーディオデータであるかＲＯＭデータであるか等を示すコントロールビットを外部の記録装置に出力する。
【００６５】
更に、本実施の形態における再生装置１０は、ディスクＤ３から読み出し、外部の記録装置に出力するデータのうち所定のデータは外部の記録装置に出力しないようミュートするミュート回路３３を有している。これらのデータは、出力端子（ディジタルアウト）３４を介して外部の記録装置に出力される。この出力データは、ＣＰＵ１８により所定のタイミングでミュートされるよう制御されている。
【００６６】
ここで、他のディスクにＣＤ−ＤＡデータを出力して記録する場合、先ず、再生装置１０は、ＴＯＣ用メモリ２１からＴＯＣデータのうちコントロールビットをディジタルアウト３４を介して外部の記録装置に出力する。
【００６７】
再生装置１０がＴＯＣリード処理を行うのは、装着されたディスクＤ３がどのようなフォーマットのディスクかを再生装置１０が判別するためである。また、外部の記録装置にコントロールビットを送るのは、外部の記録装置において、再生装置１０から、これから出力されるディジタルデータがどのようなデータが判断するためである。
【００６８】
ここで、従来の再生装置においては、シングルセッションであっても、マルチセッションであっても、１ｓｔセッションＳ１のＴＯＣ情報のみリードしていた。これは、マルチセッションの場合であっても、１ｓｔセッションＳ１にはＣＤ−ＤＡデータが記録されるものとしてとり扱われておいたためであり、例え、１ｓｔセッションＳ１がＲＯＭデータであったり、又はシングルセッションであってもＣＤ−ＲＯＭであったりした場合、再生装置においては、ＲＯＭデータであることを示すコントロールビットにより、装着されたディスクに記録されたデータがＲＯＭデータであることが判別でき、例えばオーディオ専用再生装置においては、ＲＯＭデータである場合には、Ｄ／Ａ変換された再生出力をミュートするようになされていた。また、外部の記録装置においては、このコントロールビットを受け取ることで、これから供給されるデータがＲＯＭデータであることを判別した場合は、記録（ダビング）を停止する処理がなされていた。
【００６９】
一方、本実施の形態のように、例えばＭＰ３等の圧縮オーディオを再生できるような複合再生機器においては、従来の再生機器とは異なり、全てのセッションのＴＯＣを読み出す処理を行う。従って、２ｎｄセッションＳ２以降にＲＯＭデータが記録されている場合、コントロールビットもＲＯＭデータを示すものとなる。
【００７０】
ここで、この再生装置１０においては、ＲＯＭデータであるＭＰ３も再生可能であるが、この再生装置１０からのディジタルデータを記録可能な外部の記録装置においては、再生装置１０から出力されるＲＯＭデータを記録する、即ち複製することは不可能とされている。ところが、マルチセッションのＴＯＣリードにより、２ｎｄセッション以降のＴＯＣ情報のうちコントロールビットが外部の記録装置に出力され、その結果、外部の記録装置においては、再生装置１０から出力されるのが、ＲＯＭデータであると判断されてしまい、記録不可（ダビング不可）の表示がなされる。この場合、再生装置に、記録装置を接続しているユーザは、記録装置の表示部等に、「コピー不可」が表示されたり、実際に録音処理が停止してしまったりする。
【００７１】
なお、１ｓｔセッションＳ１のＣＤ−ＤＡデータは、本来複製が許可されているデータであり、そのままダビングを続行すれば、コピーできる場合もある。しかしながら、「コピー不化」の表示は、これを使用しているユーザに、コピー不可のデータを不正にコピーしているとの誤解を招くことになる。
【００７２】
マルチセッションのディスクにおいては、２ｎｄセッションＳ２以降にＲＯＭデータが記録される場合が多い。言い換えれば、１ｓｔセッションＳ１には、ＣＤ−ＤＡデータが記録されている。従って、１ｓｔセッションＳ１以降のコントロールビット情報を外部の記録装置に伝えない、即ち２ｎｄセッションＳ２以降のコントロールビットをミュートする等し、ＲＯＭデータであることを示すコントロールビットを外部の記録装置に出力しないようＣＰＵ１８により制御する。これにより、上述したように、マルチセッションのディスクであって２ｎｄセッション以降にＲＯＭデータが記録されていても、これを示すコントロールビットが出力されず、上記問題点を回避し、外部の記録装置に対して本来複製が許可されているＣＤ−ＤＡデータを出力し、ダビングさせることができる。
【００７３】
なお、シングルセッションの場合を含め、１ｓｔセッションＳ１のコントロールビット情報は、外部の記録装置に出力するため、ディスクがシングルセッションのＣＤ−ＲＯＭ等の場合には、当然、外部の記録装置において、ディスクがＲＯＭフォーマットであることが判別でき、コピー不可の状態になされる。
【００７４】
図５は、図４に示す再生装置から供給されるディジタルデータを記録する外部の記録装置を示すブロック図である。ここでは、再生装置１０に接続される外部の記録装置として、ミニディスクＭＤ等の書換え可能な光磁気ディスクの記録装置を例にとって説明する。
【００７５】
図５は、再生装置１０に接続される記録再生装置４０を示すブロック図である。この記録再生装置４０は、光磁気ディスク４１を回転可能に収納したディスクカートリッジ４２の記録再生をするものであり、この記録生成装置４０における全体の動作を制御するシステムコントローラ（ＣＰＵ）４３を有し、また、ユーザによって操作される操作部４４と、装置の動作に関連した情報を表示する表示部４５とがシステムコントローラ４３に接続されている。
【００７６】
操作部４４は、ディスクカートリッジ４２を再生するための再生開始、再生停止、順方向又は逆方向トラックジャンプ、再生停止、再生一時停止等の機能を実行するための押しボタン、ダイヤル等で構成されている。また、操作部４４は、図３に示す再生装置に接続し、光ディスクＤ３に記録されているオーディオデータをディスクカートリッジ４２の光磁気ディスク４１にダビングするためのダビングボタンを有する。操作部４４は、ユーザによって操作されると、操作信号を発生し、発生した操作信号をシステムコントローラ４３に入力する。
【００７７】
表示部４５は、液晶表示パネル等で構成されており、再生装置１０に接続された際、再生装置１０のＴＯＣ用メモリ２１に保存されているＴＯＣデータに基づいて再生時間、再生中のトラックナンバ、タイトル等を文字、記号等を用いて表示する。
【００７８】
更に、記録再生装置４０は、ディスクカートリッジ４２の光磁気ディスク４１を回転するモータ４６と、モー４６の回転を制御する回転制御部４７と、光磁気ディスク４１に対して光ビームを出射し反射した戻りの光ビームを検出する光ピックアップ４８と、光ピックアップ４８からの出力よりＲＦ信号等各種信号を生成するＲＦアンプ４９と、光ピックアップ４８、モータ４６等を駆動するドライバ５０と、光ピックアップ４８等のサーボ信号を生成するサーボ制御部５１と、ＲＦアンプ４９からグルーブ情報信号が供給されるアドレスデコーダ５２と、変調及び復調処理並びにエラー訂正符号化及び復号化処理を行うＥＦＭ／ＣＩＲＣエンコーダ／デコーダ５３と、記録及び／又は再生用のデータを一時的に蓄積する耐震用メモリとなるバッファメモリ（ＲＡＭ）５４の書込及び読出を制御する耐振用メモリコントローラ５５と、データの圧縮伸長処理をする圧縮エンコーダ／デコーダ５６と、ディジタル信号をアナログ信号に変換するディジタル／アナログ変換部（以下、単にＤ／Ａ変換部という。）５７と、記録データを出力する出力端子５８と、光磁気ディスク４１に対して磁界を印加しオーディオデータを記録する磁気ヘッド５９と、磁気ヘッド５９の駆動制御を行うヘッド駆動部６０と、外部機器からのディジタルデータが入力端子６１を介して入力されるディジタルデータ入力部６２とを備える。
【００７９】
モータ４６は、駆動軸にマグネットが内蔵されたディスクテーブルが一体的に取り付けられており、光磁気ディスク４１の回転駆動部となる。ディスクカートリッジ４２には、下面略中央に中央開口部が設けられており、ディスクテーブルは、この中央開口部よりディスクカートリッジ４２内に進入し、光磁気ディスク４１の中央に取り付けられたクランピングプレートを磁気吸引し、光磁気ディスク４１を一体的に回転できるようにする。
【００８０】
回転制御部４７は、光磁気ディスク４１が線速度又は角速度一定に回転するようにモータ４６を駆動制御する。また、回転制御部４７にて、光ディスクＤ３に記録されているオーディオデータをディスクカートリッジ４２の光磁気ディスク４１にダビングするとき、２倍速、４倍速等で光磁気ディスク４１を高速回転する制御を行うようにしてもよい。
【００８１】
光ピックアップ４８は、光ビームを出射する半導体レーザ、半導体レーザより出射された光ビームを集束する対物レンズ、光磁気ディスク４１の反射膜で反射された戻りの光ビームを検出する光検出器等を備える。半導体レーザより出射された光ビームは、対物レンズにより集束され、ディスクカートリッジ４２の下面の前面側に設けられた略矩形の記録再生用の開口部を介して光磁気ディスク４１の信号記録面に照射される。光磁気ディスク４１の信号記録面で反射された戻りの光ビームは、光検出器により電気信号に変換され、光検出器は、この電気信号をＲＦアンプ４９に出力する。また、対物レンズは、２軸アクチュエータ等の対物レンズ駆動機構に保持され、対物レンズの光軸と平行なフォーカシング方向及び対物レンズの光軸に直交するトラッキング方向に駆動変位される。光ピックアップ４８は、スレッド機構によって、光磁気ディスク４１の内外周に亘って直線的に移動される。具体的に、光ピックアップ４８は、待機時において、光磁気ディスク４１の最内周側にあり、内周側から順次読出を行うとき、光ピックアップ４８を内周側から外周側に順に移動する。また、光ピックアップ４８は、ユーザによって順方向又は逆方向のトラックジャンプ操作がされたとき、ユーザが指定したトラックの読出を行うことができるように移動される。
【００８２】
ＲＦアンプ４９は、光ピックアップ４８を構成する光検出器からの出力信号に基づいて、ＲＦ信号、フォーカシングエラー信号及びトラッキングエラー信号を生成する。また、ＲＦアンプ４９は、光磁気ディスク４１にウォブリンググルーブとして記録された絶対位置情報であるグルーブ情報信号を抽出する。例えばフォーカシングエラー信号は、非点収差法等により生成され、トラッキングエラー信号は、３ビーム法、プッシュプル法等により生成される。そして、ＲＦアンプ４９は、ＲＦ信号をＥＦＭ／ＣＩＲＣエンコーダ／デコーダ５３に出力し、グルーブ情報信号をアドレスデコーダ５２に出力し、更に、フォーカシングエラー信号及びトラッキングエラー信号をサーボ制御部５１に出力する。
【００８３】
サーボ制御部５１は、ＲＦアンプ４９から供給されるフォーカシングエラー信号やトラッキングエラー信号に基づくフォーカシングサーボ制御やトラッキングサーボ制御等を行う。具体的に、このサーボ制御部５１は、ＲＦアンプ４９から供給されたフォーカシングエラー信号やトラッキングエラー信号から、フォーカシング方向やトラッキング方向の目標値との誤差量を検出し、この検出結果に基づいたサーボ信号をドライバ５０に出力する。ドライバ５０は、このフォーカシングサーボ信号やトラッキングサーボ信号に応じた駆動電流を光ピックアップ４８の対物レンズ駆動機構のフォーカシングコイルやトラッキングコイルに出力することにより、対物レンズを光磁気ディスク４１の信号記録面に対して近接離間するフォーカシング方向や記録トラックに対して直交するトラッキング方向に駆動変位させる。
【００８４】
アドレスデコーダ５２は、ＲＦアンプ４９から供給されたグルーブ情報信号をデコードしてアドレス情報を抽出する。このアドレス情報は、システムコントローラ４３に供給され、各種の駆動制御に用いられる。
【００８５】
ＥＦＭ／ＣＩＲＣエンコーダ／デコーダ５３は、光磁気ディスク４１に記録されたオーディオデータの再生をするとき、ＲＦアンプ４９から入力されたＲＦ信号に対して、ＥＦＭ（Eight to Fourteen Modulation）復調等の復調処理やＣＩＲＣ（Cross Interleave Reed-Solomon Code）等のエラー訂正復号処理を行う。また、光磁気ディスク４１にデータを記録するとき、耐振用メモリコントローラ５５の制御によってバッファメモリ５４に一時的に記憶されたデータに対してＣＩＲＣ等のエラー訂正符号化処理を施すと共に、ＥＦＭ等の変調処理を施し、ヘッド駆動部６０へ出力する。
【００８６】
耐振用メモリコントローラ５４は、Ｄ−ＲＡＭ（Dynamic-Random Access Memory ）等のバッファメモリ５５へのデータの書込やバッファメモリ５５からのデータの読出を制御する。具体的に、耐振用メモリコントローラ５４は、光磁気ディスク４１に記録されているデータの再生をするとき、ＥＦＭ／ＣＩＲＣエンコーダ／デコーダ５３から出力されたデータをバッファメモリ５４に書き込み、この後、所定データ単位でデータを読み出し、読み出したデータを圧縮エンコーダ／デコーダ５６に出力する。また、耐振用メモリコントローラ４３は、光磁気ディスク４１にデータを記録するとき、圧縮エンコーダ／デコーダ５６より入力されたデータをバッファメモリ５４に書き込み、この後、所定データ単位でデータを読み出し、読み出したデータをＥＦＭ／ＣＩＲＣエンコーダ／デコーダ５６へ出力する。
【００８７】
圧縮エンコーダ／デコーダ５６は、オーディオデータの圧縮伸長を行う。具体的に、圧縮エンコーダ／デコーダ５６は、光磁気ディスク４１に記録されているオーディオデータの再生をするとき、バッファメモリ５４から読み出されたＡＴＲＡＣ(Adaptive Transform Acoustic Coding)等の方式で圧縮されているデータの伸長処理を行い、Ｄ／Ａ変換部５７に出力する。
【００８８】
また、上述したように、ディジタルデータ入力部６２に入力される再生装置１０からのコントロールビットは、システムコンとロータ４３に入力される。ここで、再生装置１０のディジタルアウト３４と、記録再生装置４０の端子６１とは、光ファイバのケーブル等により接続されている。そして、再生装置１０からのコントロールビットにより、ディスクＤ３からのデータがＣＤ−ＤＡデータであると判別できた場合には、これを記録する処理を行うことができる。即ち、光磁気ディスク４１にオーディオデータを記録する場合には、端子６１を介してディジタルデータ入力部６２に所定の形式のディジタルデータが供給され、このディジタルデータが圧縮エンコーダ／デコーダ５６に供給され、圧縮エンコーダ／デコーダ５６がコンパクトディスク等の再生装置４０のディジタルアウト３４からのディジタルデータの圧縮処理をし、圧縮したデータをバッファメモリ５４に出力する。
【００８９】
ヘッド駆動部６０は、ＥＦＭ／ＣＩＲＣエンコーダ／デコーダ５３でエラー訂正符号化処理や変調処理が施された記録データに応じて外部磁界を磁気ヘッド５９に発生させる。このとき、ヘッド昇降機構は、磁気ヘッド５９を光磁気ディスク４１の光ピックアップ４８と対向する面とは反対側の面に接触又は近接させる。光磁気ディスク４１は、光磁気記録層に光ピックアップ４８により光ビームが照射されてキュリー温度以上に加熱され磁気ヘッド５９により磁界が印加されることによってオーディオデータ等が記録される。
【００９０】
次に、以上のように構成された記録再生装置４０に本実施の形態の再生装置１０を接続し、再生装置１０に光ディスクＤ３を装着し、このディスクＤ３に記録されたＣＤ−ＤＡデータを記録再生装置４０の光磁気ディスク４１に記録する、即ちダビングする動作について説明する。
【００９１】
先ず、ＣＰＵ１８は、光ディスクＤ３が回転駆動部のディスクテーブルに装着され、光ディスクＤ３がディスクテーブルに装着されたことを検出すると、モータ１１を線速度一定でディスクテーブルに装着された光ディスクＤ３を回転する。これと共に、ＣＰＵ１８は、光ピックアップ１２を駆動する。すなわち、光ピックアップ１２は、光ビームを光ディスクＤ３に出射し、光ディスクＤ３の信号記録面で反射された戻りの光ビームは、光検出器により電気信号に変換され、光検出器は、この電気信号をＲＦアンプ１３に出力する。ＲＦアンプ１３は、ＲＦ信号を生成してセレクタ１５に出力すると共に、フォーカシングエラー信号とトラッキングエラー信号を生成し、サーボ制御部１７に出力する。サーボ制御部１７は、フォーカシングエラー信号に基づき、フォーカシングサーボ信号を生成し、また、トラッキングエラー信号に基づき、トラッキングサーボ信号を生成し、これらのエラー信号を、光ピックアップ１２を構成する対物レンズ駆動機構の駆動回路に出力する。そして、光ピックアップ１２は、対物レンズ駆動機構を駆動し、対物レンズを光ビームの光軸方向に駆動変位させることによってフォーカシング制御を行い、対物レンズを光ビームの光軸に直交する方向に駆動変位させることによってトラッキング制御を行う。
【００９２】
そして、ＣＰＵ１８は、最初に、光ディスクＤ３の最内周、即ち１ｓｔセッションＳ１のリードインエリアＬＩ１に記録されたＴＯＣデータの読出を行う。具体的に、ＣＰＵ１８は、光ピックアップ１２をディスクテーブルに装着された光ディスクＤ３の最内周に移動させる。ここで、光ピックアップ１２は、光ビームを出射し、光ディスクＤ３で反射された戻りの光ビームを検出することによって光電変換し、ＲＦアンプ１３に出力する。そして、例えば第１のセッション復調部２２にて、ＲＦ信号の中からサブコードデータの抽出をし、１４ビットの記録符号系列のデータビットを８ビットの系列のデータビットに変換復調しＣＰＵ１８に出力する。第１のセッションのＴＯＣデータの読出が完了すると、ＣＰＵ１８は、装着された光ディスクＤ３がマルチセッション型の光ディスクＤ３であるかどうかの判断を行う。具体的に、ＣＰＵ１８は、第１セッション３のポイントブロックＰＯＩＮＴに「Ｂ０」が設定されているかを判断する。そして、ＣＰＵ５３は、「Ｂ０」ポインタが設定されているとき、マルチセッション型であると判断して、「Ｂ０」ポインタが設定されていないとき、シングルセッションのＣＤ−ＤＡ等の通常の光ディスクであると判断して他の処理を続行する。
【００９３】
上述したように、マルチセッションディスクＤ３のＴＯＣリード処理上、２ｎｄセッションＳ２にアクセスしなければ、そのセッションがＣＤ−ＲＯＭフォーマットであるかどうかは知るすべがなく、実際にアクセスしてＣＤ−ＲＯＭフォーマットエリアと分かったときには、そのＲＯＭデータがディジタルアウト３４から流れてしまうため、ディジタル接続された録音メディアが複製不可状態になることを阻止することがタイミング的に不可能である。
【００９４】
そこで、本実施の形態においては、以下の方法にてＴＯＣリード処理を実行することにより、コントロールビットの出力を制御して、外部の記録装置において複製不可状態になることを防止する。図６は、本実施の形態のＴＯＣリード処理手順を示すフローチャートである。
【００９５】
図６に示すように、先ず、ディスク最内周の１ｓｔセッションＳ１のリードインエリアＬＩ１のＴＯＣを読み出す（ステップＳ１）。マルチセッションディスク対応型の再生装置１０は、全てのセッションのリードインエリアを読むため、マルチセッションのディスクである場合には、セッションの個数のリードインエリアにアクセスしてＴＯＣを読み出す。この際、上述したように、１ｓｔセッションのＴＯＣのポイントブロックＰＯＩＮＴには、アドレスブロックＡＤＲが、オレンジブックの規格に沿ったマルチセッション型を示す「５」が設定され、この場合にはポイントブロックＰＯＩＮＴに、Ｂ０、Ｃ０が記録されているため、次にセッションがあるか否かが判定可能であり（ステップＳ２）、ここで、２ｎｄセッションがあると判定された場合、即ち、「Ｂ０」ポインタが設定され、２ｎｄセッションのリードインエリアＬＩ２のアドレス位置が記録されている場合、１ｓｔセッション以降のＴＯＣリード情報を外部の記録装置に伝えないようにするため、ミュート回路３３により、コントロールビットをミュートし、２ｎｄセッション以降のＴＯＣのコントロールビットがディジタルデータ生成部３２から出力されないよう制御する（ステップＳ３）。
【００９６】
こうして、１ｓｔセッションのＴＯＣリードにより、２ｎｄセッションがあることが判明した場合には、２ｎｄセッション以降で読み出されるコントロールビットが出力されないよう予めミュートしておいてから、２ｎｄセッションのリードインエリアＬＩ２にアクセスし（ステップＳ４）、ＴＯＣを読み込む（ステップＳ５）。そして、ステップＳ２と同様に、更に次のセッションがあるか、又は最後のセッションであるかを判定する（ステップＳ６）。そして、次のセッションがあると判定された場合には、ステップＳ４〜ステップＳ６の処理を繰り返す。また、ステップＳ２及びステップＳ６において、次のセッションがないと判定された場合は、ＴＯＣリード処理を終了する。
【００９７】
コントロールビットのミュートは、ＴＯＣリード処理が全て終了してディスクを停止するまで継続し、従来技術通り、ディスク停止中のミュート処理に繋げる。
【００９８】
ＣＤプレーヤにおいては、このコントロールビットのミュート操作によって、２ｎｄセッション以降に、ＲＯＭフォーマットセッションを含むディスクを複製しようしていることを、複製先のデジタルメディアの記録装置４０に伝わらないように制御でき、外部の記録装置４０では、ＣＤ−ＤＡフォーマットセッションでのみ構成されたディスクからのデータが供給されるものと判断されることで、本来ダビングが許可されているディスク最内周側のＣＤ−ＤＡセッションのディジタルデータの出力が可能となる。
【００９９】
ここで、本発明の目的は、ＣＤ−ＤＡフォーマット領域を再生する再生装置であるならばＲＯＭフォーマットを含むマルチセッション構成のディスクにおいても、そのＣＤ−ＤＡフォーマットエリアのオーディオトラックを正常にダビング可能とするためであり、ディジタルコピーの規格を違反してＲＯＭデータエリアを複製可能にしてしまうものではない。
【０１００】
１ｓｔセッションＳ１のＴＯＣリード中には、コントロールビットの出力操作を行わずに最新のコントロールビットを出力し続ける必要があるのは、ＲＯＭフォーマットディスクの複製禁止をチェックするためである。よって、１ｓｔセッションのフォーマット判定結果がＲＯＭフォーマットであった時には、その時点で複製禁止にする必要がある。ここで、本実施の形態においては、１ｓｔセッションのコントロールビットは、常に外部機器に伝え、ミュート操作しないため、１ｓｔセッションを含めそれ以降がＲＯＭフォーマットであるような場合は、複製が禁止される。
【０１０１】
ここで、ＣＤ（コンパクトディスク）に記録されるサブコードについて詳細に説明する。ＣＤシステムにおいて、既によく知られているように、記録されるデータの最小単位は１フレームとなり、９８フレームで１ブロックが構成される。この１フレームの構造は上述したように、図１２のようになり、即ち１フレームは５８８ビットで構成され、先頭２４ビットが同期データ、続く１４ビットがサブコードデータエリアとされる。そして、その後にデータ及びパリティが配される。
【０１０２】
この構成のフレームが９８フレームで１ブロックが構成され、９８個のフレームから取り出されたサブコードデータが集められて上述の図１３のような１ブロックのサブコードデータが形成される。９８フレームの先頭の第１、第２のフレーム（フレーム９８ｎ＋１，フレーム９８ｎ＋２）からのサブコードデータは同期パターンとされている。そして、第３フレームから第９８フレーム（フレーム９８ｎ＋３〜フレーム９８ｎ＋９８）までで、各９６ビットのチャンネルデータ、即ちＰ，Ｑ，Ｒ，Ｓ，Ｔ，Ｕ，Ｖ，Ｗのサブコードデータが形成される。
【０１０３】
このうち、アクセス等の管理のためにはＰチャンネルとＱチャンネルが用いられる。ただし、Ｐチャンネルはトラックとトラックの間のポーズ部分を示しているのみで、より細かい制御はＱチャンネル（Ｑ１〜Ｑ９６）によって行なわれる。９６ビットのＱチャンネルデータは、ＣＤについては図１４のように構成される。この図１４は、リードインエリアに記録されるＱチャンネルデータを示す。
【０１０４】
まずＱ１〜Ｑ４の４ビットはコントロールデータＣＴＬとされ、オーディオのチャンネル数、エンファシス、ＣＤ−ＲＯＭの識別などに用いられる。即ち、４ビットのコントロールデータは次のように定義される。
「０＊＊＊」：２チャンネルオーディオ
「１＊＊＊」：４チャンネルオーディオ
「＊０＊＊」：ＣＤ−ＤＡ（ＣＤデジタルオーディオ）
「＊１＊＊」：ＣＤ−ＲＯＭ
「＊＊０＊」：ディジタルコピー不可
「＊＊１＊」：ディジタルコピー可
「＊＊＊０」：プリエンファシスなし
「＊＊＊１」：プリエンファシスあり
【０１０５】
また、プログラムエリアのＱチャンネルについては、「＊＊０＊」と「＊＊１＊」とが交互に変化する場合、著作権保護トラックから１世代以上コピーされたトラックを示し、これにより、例えば２世代以上のコピーを制限することができる。
【０１０６】
記録再生装置側には、このコントロールビットが供給され、これにより、記録再生装置は、ＣＤ−ＤＡデータであるか否かや、ディジタルコピーが許可されているか否かを判断する。なお、市販のＣＤでは、３ビット目は反転はせずにディジタルコピー禁止を意味する「＊＊０＊」固定で記録されている。また、一度ディジタルコピーされ、上述の３ビット目が反転する場合の反転周期については、ＣＤ−Ｒ／ＲＷの規格が定められているオレンジブックにて９．７５Ｈｚと定義されている。記録装置側はこの３ビット目が規格相当の周期で反転していれば、一度ディジタルコピーされているディスクとして録音不可とし、市販のＣＤのような著作権保護ディスクであれば、ＣＤからＭＤへのディジタルコピーが可能なように1世代のみディジタルコピーが許可され、更に次世代へはコピー不可となるように記録する。
【０１０７】
次にＱ５〜Ｑ８の４ビットはアドレスＡＤＲとされ、これはＱ９〜Ｑ８０のデータのコントロールビットとされている。このアドレス４ビットが「０００１」である場合は、続くＱ９〜Ｑ８０のサブＱデータはオーディオＣＤについてのＱデータであることを示している。そしてＱ９〜Ｑ８０で７２ビットのサブＱデータとされ、残りのＱ８１〜Ｑ９６はＣＲＣとされる。
【０１０８】
サブコード内容としてのＱ９〜Ｑ８０で７２ビットは、各８ビットで図１４に示す情報が記録されている。先ずトラックナンバ（ＴＮＯ）が記録される。即ち各トラック＃１〜＃ｎでは「０１」〜「９９」のいずれかの値となる。またリードアウトエリアではトラックナンバは「ＡＡ」とされる。続いてインデックス（ＩＮＤＥＸ）として各トラックをさらに細分化することができる情報が記録される。
【０１０９】
そして、トラック内の絶対時間アドレスとしてＭＩＮ（分）、ＳＥＣ（秒）、ＦＲＡＭＥ（フレーム番号）が示され、さらに、ＰＭＩＮ（分）、ＰＳＥＣ（秒）、ＰＦＲＡＭＥ（フレーム番号）が記録されている。絶対時間アドレスとは第１トラックの開始ポイントで０分０秒０フレームとされ、以降リードアウトまで連続的に付されている時間情報である。つまりこれはディスク上で各トラックを管理するための絶対アドレス情報となる。
【０１１０】
次に、上述の図３に示すフォーマットとは異なるマルチセッションのディスクから、コピー許可されているＣＤ−ＤＡデータを他のディスクに記録する方法について説明する。ここでは、
１ｓｔセッションＳ１：ＣＤ−ＤＡフォーマット
２ｎｄセッションＳ２：ＣＤ−ＤＡフォーマット
３ｒｄセッションＳ３：ＣＤ−ＲＯＭフォーマット
４ｔｈセッションＳ４：ＣＤ−ＲＯＭフォーマット
という構成の４つのセッションから構成されるマルチセッションディスクにおいて、１ｓｔセッションＳ１及び２ｎｄセッションＳ２のＣＤ−ＤＡフォーマットセッションのみを再生範囲とする再生装置について説明する。
【０１１１】
図７は、このような４セッションのマルチセッションディスクのＴＯＣリード処理方法を示すフローチャートである。図７に示すように、先ず、１ｓｔセッションＳ１のＴＯＣリード処理をする（ステップＳ１１）。そして、次のセッションが存在するか又は最後のセッションであるかが判定され（ステップＳ１２）、最後のセッションであると判定された場合、即ちシングルセッションのディスクであると判定された場合は、ＴＯＣリード処理を終了する。
【０１１２】
一方、次のセッションが存在する場合には、先ず１ｓｔセッションＳ１がＣＤ−ＤＡフォーマットであったか否かが判定され（ステップＳ１３）、１ｓｔセッションＳ１がＣＤ−ＤＡフォーマットであった場合には、１ｓｔセッションＳ１のリードインエリアＬＩ１に記録されたＴＯＣ情報のコントロールビットを出力した後、コントロールビットの出力をミュートする。この状態で、次のセッションＳ２のリードインエリアＬＩ２にアクセスし（ステップＳ１５）、ＴＯＣリード処理をし（ステップＳ１６）、このセッションＳ２が最後のセッションか又は次のセッションがあるかを判定し（ステップＳ１６）、次のセッションＳ３が存在しなければＴＯＣリード処理を終了する。ここで、上述したように、４つのセッションを有するマルチセッションのディスクである場合には、ステップＳ１５からステップＳ１６を３回繰り返すことになる。
【０１１３】
また、ステップＳ１３にて、１ｓｔセッションＳ１がＣＤ−ＤＡフォーマットではないと判定された場合、コントロールビットをミュート処理せず、従来通りそのままＴＯＣリード処理を継続する。上述したように、再生装置１０のＣＰＵ１８は、１ｓｔセッションＳ１のＴＯＣリード処理で、１ｓｔセッションＳ１がＣＤ−ＤＡフォーマットであると分かったときのみに、２ｎｄセッションＳ２以降のコントロールビット情報のミュートを行うよう制御している。
【０１１４】
また、１ｓｔセッションがＣＤ−ＤＡフォーマット、２ｎｄセッションがＭＰ３フォーマットで構成されたマルチセッション構成のディスクにおいて、ＭＰ３フォーマットセッション側を優先的に再生する再生装置に本発明を適用しても弊害がないことについて説明する。ＭＰ３対応型の再生装置であっても、ＣＤ−ＤＡ及びＭＰ３の２つのフォーマットが記録されたディスクからデータを再生する際には、いずれか一方のフォーマットを優先して再生するよう、例えばユーザ等により指示される。なお、再生装置では、ＭＰ３データは、再生したり、アナログデータとして複製することができても、他のディスクへディジタルデータのまま複製することはできない。
【０１１５】
図８は、２ｎｄセッションＳ２にＭＰ３にてデータが記録されたディスクのフォーマットを示す図である。即ち、図８に示すように、１ｓｔセッションＳ１のプログラムエリアＰＡ１にはＣＤ−ＤＡフォーマットが記録され、２ｎｄセッションＳ２のプログラムエリアＰＡ２にはＭＰ３データが記録されているものである。
【０１１６】
ＭＰ３フォーマットは、圧縮オーディオデータであり、コンピュータデータとしてＲＯＭフォーマットと判定される。ここで、再生装置がＲＯＭデータであるＭＰ３を優先的に再生するような場合において、本発明を適用すると、１ｓｔセッションＳ１がＣＤ−ＤＡフォーマットであるため、２ｎｄセッションＳ２をＴＯＣリードする際には、コントロールビット情報のミュート処理が働く。従って、ＭＰ３フォーマット、つまりＣＤ−ＲＯＭフォーマットである２ｎｄセッションＳ２のＴＯＣリード処理時点では複製先のデジタルメディアは複製禁止状態にはならない。しかし、ＭＰ３ファイルを再生するには、ＴＯＣリード処理に引き続き、ファイル解析処理を行わなければならず、このファイル解析処理時にはデータをミュートせず、ＭＰ３デコーダにＲＯＭデータを送信する必要がある。よってこの時点でＲＯＭデータ情報がＣＰＵ１８に供給され、これがディジタルアウト３４を介して複製先のデジタルメディアの記録装置４０に伝わり、複製禁止状態にすることができる。
【０１１７】
即ち、プログラムエリアのチャンネルＱにより、各トラックに関するコントロールビットが供給され、これにより、２ｎｄセッションがＲＯＭデータであって、ＴＯＣのコントロールビットがミュートされていたとしても、プログラムエリアのコントロールビットにより、外部に接続された記録装置にこのデータが供給され、複製不可の状態となる。
【０１１８】
このように、ＭＰ３データを優先するモードにおいてもＭＰ３の複製が許可されない。また、ＣＤ−ＤＡデータを優先して再生するモードにおいては、上述したように、ＣＤ−ＤＡフォーマットである１ｓｔセッションＳ１のコントロールビットのみしか外部の記録装置に出力しないため、ＣＤ−ＤＡデータを他のメディアに記録することが可能である。
【０１１９】
以上より、本実施の形態においては、ＭＰ３側を優先的に再生する再生装置へ実装しても、複製許可状態としてしまうような問題は生じず、ＣＤ−ＤＡフォーマットとＭＰ３フォーマットのどちらかを選択して再生させる再生装置においても同様の効果を奏する。
【０１２０】
次に、本実施の形態における情報処理装置の他の例として、ＣＤ−ＤＡデータを再生する再生装置と、この再生装置からのＣＤ−ＤＡデータをミニディスク等の光磁気ディスクに記録可能な記録再生装置とを搭載した記録再生装置としての情報処理装置について説明する。図９は、本実施の形態における情報処理装置の他の例としての記録再生装置を示すブロック図である。なお、図９に示す情報処理装置としての記録再生装置において、図４及び図５に示す夫々再生装置及び記録装置と同一の構成要素には同一の符号を付しその詳細な説明は省略する。
【０１２１】
図９に示すように、記録再生装置７０は、本発明を適用したコンパクトディスクを再生する再生部７１と、光磁気ディスク４１を回転可能に収納したディスクカートリッジ４２の記録再生をする記録再生部７２と、全体の動作を制御するシステムコントローラ７３とから構成されている。
【０１２２】
また、記録再生装置７０は、コンパクトディスクや、光磁気ディスクの再生、停止等をユーザによって操作される操作部７４と、装置の動作に関連した情報を表示する表示部７５とを備えている。
【０１２３】
操作部７４は、光ディスクＤ３やディスクカートリッジ４２を再生するための再生開始、再生停止、順方向又は逆方向トラックジャンプ、再生停止、再生一時停止等の機能を実行するための押しボタン、ダイヤル等で構成されている。また、操作部７４は、光ディスクＤ３に記録されているオーディオデータをディスクカートリッジ４２の光磁気ディスク４１にダビングするためのダビングボタンを有する。この操作部７４は、ユーザによって操作されると、操作信号を発生し、発生した操作信号をシステムコントローラ（ＣＰＵ）７３に入力する。
【０１２４】
表示部７５は、液晶表示パネル等で構成されており、ＴＯＣ用メモリ２１に保存されているＴＯＣデータに基づいて再生時間、再生中のトラックナンバ、タイトル等を文字、記号等を用いて表示する。
【０１２５】
そして、操作部７４のダビングボタンが押されると、再生部７１にて、光ディスクのＴＯＣが読み出され、ＴＯＣ用メモリ２１に保存される。そして、ＣＰＵ７３がこのＴＯＣデータを読出し、コントロールビットをディジタルデータ生成部７６に送ると共に、２ｎｄセッション以降のコントロールビット情報が出力されないようにミュート回路７７を制御する。
【０１２６】
記録再生部７２には、再生部７１のディジタルデータ生成部７６からコントロールビットをディジタルデータ入力部７８を介してＣＰＵ７３に送ることで、ＣＰＵ７３は、これからダビングしようとしているデータがＣＤ−ＤＡデータであるか、ＲＯＭデータであるかを判断し、ＣＤ−ＤＡデータである場合には、表示部７５に録音許可の表示をする。
【０１２７】
ここで、本実施の形態におけるディジタルデータ生成部７６は、上述したように、例えば２つのセッションからなるマルチセッションのディスクであって、２ｎｄセッションにＲＯＭデータが記録されている場合であっても、２ｎｄセッションに記録されているデータがＲＯＭデータであるというコントロールビットが記録再生部７２へ供給されないため、記録再生部７２では、供給されるデータがＣＤ−ＤＡデータであると判定でき、記録不可の表示を出さないようにすることができる。
【０１２８】
このように構成された本実施の形態においては、マルチセッションディスクの再生に対応した再生装置にて、ＣＤ−ＥＸＴＲＡディスク、又は、１ｓｔセッションがＣＤ−ＤＡフォーマット、２ｎｄセッション以降に、ＲＯＭセッションを含んだマルチセッションディスクのＣＤ−ＤＡフォーマットエリアを他のデジタルメディアに複製する際、２ｎｄセッション以降のコントロールビットをミュートすることにより、一時でも録音不可を警告する状態を招かずに正常にオーディオトラックを複製することが可能である。
【０１２９】
また、再生装置によっては録音不可警告状態になっても無理やりＣＤのオーディオトラックにアクセスさせてやれば録音可能状態に戻すことができるため、そのディスクがコピーコントロールディスクであったりすると、本来、ＭＤ等の他のディスクへのダビングは許可されているにも関わらず、録音不可の警告を出すことでユーザに混乱を招く恐れがある。
【０１３０】
即ち、従来は、マルチセッションであっても、２ｎｄセッション以降のＴＯＣを読み込むようなことはなかったが、例えばＭＰ３対応の再生装置においては、全てのセッションのＴＯＣを読み出さない限り、そのディスクに何の情報が記載されているかわからず、一方では、２ｎｄセッションを読み出した時点で、外部の記録装置に複製不可の表示なされる場合があった。
【０１３１】
例えばＣＤ−ＤＡデータだけでなく、ＭＰ３データの再生も可能であるような再生装置は、どのようなＣＤが装着されても全てのＴＯＣを読み出してしまうため、これに接続されるか、又は内蔵されるような記録装置に対して、コントロールビット情報を伝えてしまっていた。従って、ＣＤ−ＤＡデータをディジタルコピーする目的で接続している外部の記録装置（又は内蔵された記録装置）においては、ＲＯＭデータであることを示すデータが入ってきた時点で、録音禁止に設定されてしまったり、複数のＣＤを装着可能な再生装置において、再生するディスク及びその曲をプログラムして再生してダビングするような場合、再生装置からのＲＯＭデータを示すコントロールビットにより、本来複製が許可されているＣＤ−ＤＡデータであるのにも関わらずユーザが複製できないと勘違いしたり、複製不可の表示を見て、複製をやめたり又は複製不可の表示が出ているのに複製が可能であったりと、ユーザに混乱を招いてしまっていた。
【０１３２】
従って、本実施の形態のように、ディジタルコピーを許されているディスクのディジタルデータをコピーする場合には、１ｓｔセッション以降のコントロールビットを伝えないようにすることで、複製可能な場合に複製不可の表示がされることがなくなり、ユーザの混乱を防止することができる。
【０１３３】
また、再生装置側から出力されるデータ（コントロールビット情報）をミュートすることにより、例えば記録装置が他社の製品の場合であっても、その記録装置をなんら変更することなく、上述の不具合を回避することができる。
【図面の簡単な説明】
【０１３４】
【図１】通常のＣＤ−ＤＡデータが記録されるシングルセッションのディスクを示す模式図である。
【図２】マルチセッションのディスクフォーマットを示す模式図である。
【図３】１ｓｔセッション及び２ｎｄセッションに夫々ＣＤ−ＤＡデータ及びＣＤ−ＲＯＭデータが記録されたマルチセッションディスクを示す模式図である。
【図４】本発明の実施の形態における再生装置を示す図であって、上記マルチセッションのディスクを再生可能な再生装置を示すブロック図である。
【図５】上記再生装置から供給されるディジタルデータを記録する外部の記録装置を示すブロック図である。
【図６】本発明の実施の形態におけるＴＯＣリード処理方法を示すフローチャートである。
【図７】本発明の実施の形態におけるＴＯＣリード処理方法であって、４セッションのマルチセッションディスクのＴＯＣリード処理方法を示すフローチャートである。
【図８】１ｓｔセッション及び２ｎｄセッションに夫々ＣＤ−ＤＡデータ及びＭＰ３４データが記録されたマルチセッションディスクを示す模式図である。
【図９】本発明の実施の形態における情報処理装置の他の例としての記録再生装置を示すブロック図である。
【図１０】マルチセッション型のコンパクトディスクを説明する図である。
【図１１】コンパクトディスクのフォーマットを説明する図である。
【図１２】サブコードとフレームフォーマットを説明する図である。
【図１３】サブコードを説明する図である。
【図１４】ＴＯＣデータとなるリードインエリアに記録されたサブコードのＱチャンネルを説明する図である。
【図１５】特許文献２に記載の再生装置を示すブロック図である。
【符号の説明】
【０１３５】
１０  再生装置、１１  スピンドルモータ、１２  光ピックアップ、１４  スレッド機構、１３  ＲＦアンプ、１５  セレクタ、１６  リードインデータ抽出部、１７  サーボ回路、１８  ＣＰＵ、１９  操作部、２０  表示部、２１  ＴＯＣ用メモリ、２２  １ｓｔセッション復調部、２３  エラー訂正部、２４  Ｄ／Ａ変換部、２５  出力端子、２６  ２ｎｄセッション復調部、２７  エラー訂正部、２８  ＣＤ−ＲＯＭデコーダ、２９  伸張部、３０  Ｄ／Ａ変換部、３２  ディジタルデータ生成部、３３  ミュート回路、３４  出力端子、４０  記録再生装置、４１  光磁気ディスク、４２  ディスクカートリッジ、４４  操作部、４５  表示部、４３  システムコントローラ、４６  モータ、４７  回転制御部、４８  光ピックアップ、４９  ＲＦアンプ、５０  ドライバ、５１  サーボ制御部、５２  アドレスデコーダ、５３  エンコーダ／デコーダ、５４  バッファメモリ、５５  メモリコントローラ、５６  圧縮エンコーダ／デコーダ、５７  Ｄ／Ａ変換部、５８  出力端子、５９  磁気ヘッド、６０  ヘッド駆動部
【図１】
2005078672.tif 000003
【図２】
2005078672.tif 000004
【図３】
2005078672.tif 000005
【図４】
2005078672.tif 000006
【図５】
2005078672.tif 000007
【図６】
2005078672.tif 000008
【図７】
2005078672.tif 000009
【図８】
2005078672.tif 000010
【図９】
2005078672.tif 000011
【図１０】
2005078672.tif 000012
【図１１】
2005078672.tif 000013
【図１２】
2005078672.tif 000014
【図１３】
2005078672.tif 000015
【図１４】
2005078672.tif 000016
【図１５】
2005078672.tif 000017